Podtech/llm-jp-corpus-v4-ja_patent huggingface dataset:
(57)【要約】      （修正有）【課題】  弁当、折詰等の中に入っている調味料小出し容器から食品の汁、油等で指を汚すことなく、小出し容器から調味料を取出すことを目的とする。【解決手段】  調味料小出し容器の筒状本体１のギザギザ部分３を箸６で挟んで圧迫することによって房状部分５は変形して細長くなり、蓋４が筒状の口２から外れ、これによって食品の汁、油等によって指を汚すことなく、調味料を滴下させる。【選択図】図４
2006204873.tif 000002
【特許請求の範囲】
【請求項１】
調味料の小出し容器の身（１）に調味料（醤油、ソース等を充填し、房状部品（５）のついた蓋（４）を小出し容器の筒状本体（１）にはめこみ蓋（４）を固定する。
この状態で弁当、折詰等の食物（主として副食物）の中へ入れておき、弁当、折詰の中の食品を食する時には、小出し容器の筒状本体（１）のギザギザ部分（３）を箸（６）で挟んで軽く圧迫ると、房状部品（５）は変形して細くなり、蓋（４）は筒状本体（１）の口（２）から外れた状態で食物に調味料を振りかけることができ、副食物の汁、油等で指を汚すことなく、調味料を使用することができることを特徴とする調味料小出し容器。
【発明の詳細な説明】
【発明の詳細な説明】
【技術分野】
【０００１】  本発明は弁当、折詰等で使用する醤油、ソース等の調味料の小出し容器に関するものである。
【背景技術】
【０００２】  従来、弁当、折詰等の食物の中に入っている醤油、ソース等の調味料小出し容器を指で摘んで調味料を食物に振り掛けようとする時に、副食物の汁、油等で必ず指が汚れるという欠点があった。
【発明が解決しようとする課題】
【０００３】  従来の調味料小出し容器は弁当、折詰等の食物（主として副食物）の中に入れてあり、食事に際して小出し容器を指で摘んで調味料を取出す時に必ず指が汚れ不快であった。
指を汚さないで調味料を取出すことが望まれていた。
【課題を解決するための手段】
【０００４】  小出し容器から調味料（醤油、ソース等）を取出すに当たって、小出し容器の筒状本体（１）のギザギザ部分（３）を箸（６）で挟んで軽く圧迫すると房状部分（５）は変形して細長くなり、蓋（４）は筒状本体（１）の口（２）から外れて、この状態で、副食物に調味料を振り掛けることが出来、副食物の汁、油等で指を汚すことなく、調味料を使用することが可能になる。
【発明の実施形態】
【０００５】  調味料が充填された本発明の小出し容器を、弁当、折詰等の副食物の中に入れて置き、食事に際しては調味料小出し容器の筒状本体（１）のギザギザ部分（３）を箸（６）で挟んで軽く圧迫すると房状部分（５）は変形して細長くなり、蓋（４）は身（１）の口（２）から外れ、この状態で副食物の汁，油等で指を汚すことなく、副食物に調味料を振りかけることができる。
【図面の簡単な説明】
【図１】  調味料小出し容器の筒状本体
【図２】  調味料小出し容器の蓋と房状部品
【図３】  調味料小出し容器に蓋と房状部品を挿入して蓋をはめこんだ状態
【図４】  調味料小出し容器の筒状本体のギザギザ部分を箸で挟んで蓋を外した時の状態
【図５】  小出し容器に調味料を入れる時の状態
【図６】  調味料小出し容器に蓋と房状部品を挿入する状態
【符号の説明】
１、調味料小出し容器の筒状本体
２、調味料小出し容器の筒状本体の口
３、調味料小出し容器の筒状本体のギザギザ部分
４、調味料小出し容器の蓋
５、調味料小出し容器の蓋に接合する房状部品
６、箸
【図１】
2006204873.tif 000003
【図２】
2006204873.tif 000004
【図３】
2006204873.tif 000005
【図４】
2006204873.tif 000006
【図５】
2006204873.tif 000007
【図６】
2006204873.tif 000008
(57)【要約】【課題】  従来の餌撒き籠では、撤き餌籠から大量の餌が撒き散らされて水底又は海底が汚染されるという問題がある。【解決手段】  集魚灯本体６の側面に１列に複数個のカラー発光ダイオード７を設けた列が多数列装着され、集魚灯本体の全体にカラー発光ダイオード７が多数装着され、集魚灯本体６の上面に釣り竿に接続されるテグスを結ぶ連結具８が回動自在に装着され、又、集魚灯本体６の下面に釣り針等を結ぶテグスに接続される連結具９が回動自在に装着されており、集魚灯本体６の内部は水漏れしないように機密に構成され、集魚灯本体６の内部に電池等の電源が装着されている。【選択図】図１
2006204223.tif 000002
【特許請求の範囲】
【請求項１】
釣竿側のテグスを接続する連結具を上端に装着した集魚灯本体の側面の一部又はほぼ全体に多数のカラー発光ダイオードを装着し、前記集魚灯本体の内部に前記カラー発光ダイオードを点灯する電源を装着することを特徴とする集魚灯。
【請求項２】
前記カラー発光ダイオードと前記電源の間に、前記カラー発光ダイオードを順次切り替えて点灯する切り替え制御回路を接続することを特徴とする請求項１記載の集魚灯。
【発明の詳細な説明】
【技術分野】
【０００１】
本発明は、多数のカラー発光ダイオードを装着して、魚を集めるようにした集魚灯に関するものである。
【背景技術】
【０００２】
従来、釣りをするときに、魚を集めるために、図３に示すように、釣り竿に接続されるテグスを接続する連結具２を円筒体１の上面に固着し、円筒体１の側面の餌いれ口３に網状の蓋４を装着し、円筒体１の餌いれ口３から餌をいれて網状の蓋４で閉じるようにした餌撒き籠５が提案されている。
【０００３】
しかしながら、このように構成された従来の餌撒き籠５は、魚がいない状態でも、大量の餌が撒き散らされ、又、魚が食べる量よりも大量の餌が撒き散らされるために、海底が非常に汚染されるという問題がある。
【特許文献１】特願２０００−２７９０８０
【発明の開示】
【発明が解決しようとする課題】
【０００４】
解決しようとする問題点は、従来の餌撒き籠では、撤き餌籠から大量の餌が撒き散らされて水底又は海底が汚染されるという問題がある。
【課題を解決するための手段】
【０００５】
本発明では、釣竿側のテグスを接続する連結具を上端に装着した集魚灯本体の側面の一部又はほぼ全体に多数のカラー発光ダイオードを装着し、前記集魚灯本体の内部に前記カラー発光ダイオードを点灯する電源を装着して、撤き餌籠の代わりに使用するものである。
【発明の効果】
【０００６】
本発明の集魚灯では、集魚灯本体の側面の一部又はほぼ全体にカラー発光ダイオードを装着して、水中又は海中で点灯することにより、カラー発光ダイオードの周囲に魚が集まり、これらの魚を集魚灯の下に装着した釣り針に餌を付けて釣るか、又は他の釣り竿に付けた釣り針に餌を付けて釣るようにするので、撤き餌を必要とせず、従って、水中又は海中が汚染されることがないという利点があり、又、切り替え制御回路によりカラー発光ダイオードを点灯したり、消灯したり、又、順次点灯することにより、魚がより多く集まるという利点がある。
【発明を実施するための最良の形態】
【０００７】
本発明では、釣竿側のテグスを接続する連結具を上端に装着した集魚灯本体の側面の一部又はほぼ全体に多数のカラー発光ダイオードを装着し、前記集魚灯本体の内部に前記カラー発光ダイオードを点灯する電源を装着し、電源からの電流を切り替え回路で順次切り替えて点灯するものである。
【実施例】
【０００８】
図１は本発明の実施例の集魚灯の側面図で、集魚灯本体６の側面に１列に複数個の青色発光ダイオード７を設けた列が多数列装着され、集魚灯本体の全体にカラー発光ダイオード７が多数装着され、集魚灯本体６の上面に釣り竿に接続されるテグスを結ぶ連結具８が回動自在に装着され、又、集魚灯本体６の下面に釣り針等を結ぶテグスに接続される連結具９が回動自在に装着されており、集魚灯本体６の内部は水漏れしないように機密に構成され、集魚灯本体６の内部に電池等の電源が装着されている。
【０００９】
このように構成された本実施例の集魚灯では、電源からの電流でカラーダイオード７が点灯することにより、この集魚灯本体６を水中又は海中に入れると、水中又は海中で種々の色に発光することにより、魚によって好む色が異なるので、好む色が点灯されている時に、集魚灯本体６の周囲に魚が群がり、この群がった魚を集魚灯本体６の下に装着した連結具９に接続された釣り針により釣ることができ、又、集魚灯本体６からは撤き餌が放出されないので、水中又は海中を汚染することがないという利点がある。
【００１０】
図２は本発明の他の実施例の点灯回路のブロック図で、複数のカラー発光ダイオード７に切り替え制御回路１０を介して電源１１が接続され、切り替え回路１０及び電源１１は集魚灯本体６の内部に装着される。
【００１１】
このように構成された本実施例の点灯回路では、カラー発光ダイオード７を１列毎に順次発光してもよいし、適宜任意に発光してもよいし、さらに、１列毎又は数列毎に順次色を変えて発光してもよい。
【産業上の利用可能性】
【００１２】
なお、上記実施例では、集魚灯本体にカラー発光ダイオードを全体にほぼ隙間無く設けた例を示したが、間隔を開けてまばらに設けてよいし、又、集魚灯本体の下側又は上側に半分だけ設けたり、さらに、縦に半分だけ装着してもよいし、カラー発光ダイオードは１色でもよいし、多数の色の発光ダイオードを装着しでもよい。
【図面の簡単な説明】
【００１３】
【図１】本発明の実施例の集魚灯の斜視図である。
【図２】本発明の他の実施例の集魚灯の点灯回路のブロック図である。
【図３】従来の撤き餌籠の斜視図である。
【符号の説明】
【００１４】
６                集魚灯本体
７                青色発光ダイオード
８、９            連結具
１０              切り替え制御回路
１１              電源
【図１】
2006204223.tif 000003
【図２】
2006204223.tif 000004
【図３】
2006204223.tif 000005
(57)【要約】      （修正有）【課題】従来の佃煮にかわる、新規な野菜の海苔のを創る。【解決手段】野菜、山菜、薬草、木の葉を使い、刻む、蒸し上げ、砕く、酒蒸し、煮付け、煎り上げの７種類の加工工程からなる。【効果】お茶漬けや，おにぎり，お寿司，などにも最適であり，普通の御飯だけでも最高の脇役となる野苔の佃煮がこの世の中に新しい味と香りという命を持って生まれたのである。【選択図】なし【特許請求の範囲】
【請求項１】
葉もの野菜その他の野菜と山菜，薬草，木の若葉などを，刻む，蒸し上げ，砕く，酒蒸し，煮付け，煎り上げ，蒸気煎り仕上げ，と７種類の加工，工程を行う事により，野菜の苔状を創り出して新しい味と香りの画期的な野菜の佃煮にした事を特長とする野苔の佃煮である。
【請求項２】
請求項１に挙げた野苔の佃煮を乾燥して砕く，刻むなどの加工を施したもの。
【発明の詳細な説明】
【発明の詳細な説明】
【０００１】〔産業上の利用分野〕
この発明は，野菜の苔を創り，どんな野菜も佃煮になるという事に着目した野苔の佃煮とその製造方法に関するものである。
【０００２】〔従来の技術〕
従来の海苔の佃煮とは，海苔をベースにして椎茸や葉唐辛子などを佃煮としているものであり野菜だけを海苔状にして佃煮としているものは無かった。
【０００３】〔発明が解決しようとする課題〕
海苔の佃煮が主に御飯やお茶漬けなどの友でしたが，色々な野菜や山菜があるのだから，野の苔を創ったら新しい味と香りの恵みを得る事ができるものであると確信して多数の野菜の苔を創り，野苔の佃煮を研究しながら開発を続けた。
【０００４】〔課題を解決する手段〕
その結果は，７種類の加工工程を正しく行う事によって野菜の苔状を創り上げ，従来に無かった味と香りの画期的な野苔の佃煮の発明を完成させることができた。
【０００５】〔作用〕
本発明で野菜各種を佃煮にする事により保存期間も長くなり，生野菜やお浸し，ジュース，ペーストなどの味と香りの食べ方を著しく変えることができたのも，調理の加工工程を研究した事によって成功したものである。
【０００６】〔実施例〕
葉ものの野菜その他の野菜，山菜などを刻み，蒸し上げ，砕く，酒蒸し，煮付け，煎り上げ，蒸気煎り仕上げ，と順序良く行うものですが，辛子菜の場合で説明するならば，辛子菜は洗い刻んで蒸し器で蒸し上げ，ミキサーで適当に砕き，酒を入れて落し蓋をして，水分が少なくなるまで蒸し上げ，醤油，味噌，味醂などを使って，食品添加物，防腐剤は一切使用せず，果実酢，梅酢を組み合わせて味付けをして，また水分が無くなって来るまで煎り上げ，最後に蒸気を使って仕上げの煎り上げを行い，黒々となってきたらできあがりである。
【０００７】〔効果〕
この発明によれば野菜を野苔の佃煮にすることによって今までは食べたことの無かった野菜も，味も香りも生まれ変わってくるから食べられるといった，楽しい家族の食卓を迎えることもできるのです。また従来からある，お茶漬けのりなどに野苔の佃煮を入れて食べると、何倍も美味しくなる事は，毎日のように食べ続けた結果の答えである。副菜としての素晴らしい野苔の佃煮を発明したことにより日本の老人王国の人々に対して御飯の友，おにぎりの具，非常食缶詰，お土産品，特にお茶漬けの友などとして日本古来の米食に夢と喜びを与え，佃煮の歴史に著しい進歩と発展を確実に得る事のできる野苔の佃煮である。
【手続補正書】
【提出日】平成18年6月5日(2006.6.5)
【手続補正１】
【補正対象書類名】特許請求の範囲
【補正対象項目名】全文
【補正方法】変更
【補正の内容】
【特許請求の範囲】
【請求項１】
葉もの野菜その他の野菜、山菜、薬草、木の若葉のうち少なくとも一以上の食材を、刻み、蒸し上げ、砕き、酒蒸し、煮付け、煎り上げ、蒸気煎り仕上げ、と順次７種類の加工工程を行うことを特徴とする野苔の佃煮の製造方法。
【請求項２】
葉もの野菜その他の野菜、山菜、薬草、木の若葉のうち少なくとも一以上の食材を、刻み、蒸し上げ、砕き、酒蒸し、煮付け、煎り上げ、蒸気煎り仕上げ、乾燥、砕き、と順次９種類の加工工程を行うことを特徴とする野苔の佃煮粉末の製造方法。
【請求項３】
前記請求項１に記載の製造方法により得られる野苔の佃煮。
【請求項４】
前記請求項２に記載の製造方法により得られる野苔の佃煮粉末。
【手続補正３】
【補正対象書類名】明細書
【補正対象項目名】０００６
【補正方法】変更
【補正の内容】
【０００６】
（実施例１）
本発明は、葉もの野菜その他の野菜、山菜などの食材に、刻み、蒸し上げ、砕き、酒蒸し、煮付け、煎り上げ、蒸気煎り上げ、の加工工程を順序良く行い、野苔の佃煮を製造するものである。かかる加工工程を辛子菜の場合を例に説明するならば、辛子菜を洗い刻んで蒸し器で蒸し上げ、ミキサーで適当に砕き、酒を入れて落し蓋をして水分が少なくなるまで蒸し上げ、食品添加物・防腐剤は一切使用せずに、醤油、味噌、味醂などを使って果実酢、梅酢を組み合わせて味付けをした煮汁により煮付けし、再度水分が無くなってくるまで煎り上げ、最後に蒸気を使って仕上げの煎り上げを行い、黒々となってきたらできあがりである。
（実施例２）
また、本発明は、葉もの野菜その他の野菜、山菜などの食材に、刻み、蒸し上げ、砕き、酒蒸し、煮付け、煎り上げ、蒸気煎り上げ、乾燥、砕き、の加工工程を順序良く行い、野苔の佃煮粉末を製造するものである。かかる加工工程を辛子菜の場合を例に説明するならば、上記実施例１によりできあがった辛子菜による野苔の佃煮について、さらに乾燥させることで得られた乾燥物を、ミキサー等で粉末状に砕くことで完成する。
(57)【要約】      （修正有）【課題】ヒートアイランド現象や省エネ対策の一貫として、ビルの壁面の緑化を目的としたもので有るが、他の用途として景観は勿論道路の遮音板橋や橋梁などにも使途が開ける。【解決手段】アルミサツシュの改良枠２に金網３・繊維性立体ネット５・凝灰岩の粒状４（繊維性立体ネットの空間部に凝灰粒を充填）・生分解生綿板６・プスチック板７・金網２からよりなるパネルである、（双方の金網で４層を挟む）これを平面にして草花の種子を蒔き１０ｍｍ位成長したら、垂直にし横の金具から水のみを給水し育成する、尚凝灰石は（モルデナイトゼオライト凝灰岩）の特徴として、空気中の窒素を吸収し土に還元する作用があることから、肥料が不必要である垂直壁面緑化パネル。【選択図】図２
2006204281.tif 000002
【特許請求の範囲】
2006204281.tif 000003
【請求項１】
繊維製立体ネット・保水用綿・凝灰岩を組み合わせ、パネル状にした植生マット
【請求項２】
請求項１のマットを垂直に設置し壁面緑化パネルとする
【発明の詳細な説明】
【発明の詳細な説明】
【産業上の利用分野】
【０００１】本発明は、昨今のヒートアイランド現象の対策を考慮した発明で有る、即ちこの発明は類するビルの屋上緑に加え壁面（垂直面）をも緑化する目的は勿論、景観的にも色々な使途がある、又室内に有っての用途として癒しの効果や空気清浄に効果がある
【背景技術】
【０００２】従来の類した壁面緑化は保水性のあるコンクリートブロックとか煉瓦に吊る草とか、蔦を這わせる手法、そして最近の傾向として金網等を組んでセダムなどを植える簡易的な構造等がある。
【発明が解決しようとする課題点】
【０００３】従来の垂直面緑化はヒートアイランド対策で無く、寧ろ景観とか趣味目的が多かった、従って新しい分野の開発で有り、次の課題点が考えられる。（ａ）軽量化への考慮点（ｂ）保水率及び水やりの課題点（ｃ）常緑化の課題点
【課題点を解決する為の手段】
【０００４】（ａ）アルミサッシュを骨組としてパネル化したもので極軽量となる。（ｂ）保水率を満足せるため生分解性の綿板と凝灰岩を使用する事により保水率が満足出来る（綿板吸水率１２２％凝灰岩３５％）（ｃ）常緑化の狙いとして、クローバー種子を採用する事によりフルシーズンとなり且つノン肥料対策となる。
【作用】
【０００５】アルミサッシュ枠に▲２▼金網▲３▼生分解性ネツト▲４▼粒状の凝灰岩▲５▼繊維製立体ネット▲６▼生分解生綿板▲７▼プラスチック平板▲２▼金網とよりなるパネル、即ち両方で金網に▲３▼▲４▼▲５▼▲６▼▲７▼の製品を挟み込み、アルミサッシュ枠内にセットする▲２▼金網は此れ等の製品を鋏込み安定させる目的と空隙率を押さえ保水率を高める目的でもある。▲３▼生分解ネットはパネル内に混入する、粒状の凝灰岩の散乱を押さえる目的の他に乳酸成分が含まれている事から種子の発育に好条件となる。▲４▼粒状の凝灰岩は保水率３５％ｃｅｃ（保肥率）８５比重１，１６、岩質は大気中の窒素を吸着し土に還元する働きががある事から草花の生育条件に勝れている▲５▼繊維製立体ネットとは６角型の円筒型連ねた特殊な織り方、即ち蜂の巣状のものである、作用としては、このネットの空隙になって居る部分に凝灰岩を埋め込みポケットの役目とし垂直にしても保持する目的とする。▲６▼生分解性綿板の役目として、パネル内の水分を保たせる目的である。▲７▼プラチック平板の働きとは、遮蔽と乾燥防止を目的とする。
【発明の効果】
【０００６】本発明の垂直壁面緑化パネルは、全く新しい発想から発明されたものであり、ヒートアイランド現象を克服する目的、そして屋内外の景観やインテリヤにも使途が開け活気的な需要量が望まれると思う。    以下特徴を特記する。（ａ）軽量で有る事から輸送及び施工費がローコストである。（ｂ）アルミ角パイプをベースとしているので堅牢であり且つ腐食がない、そして組立が簡易な事から施工面積が自在である。（ｃ）空気中の窒素を吸収し土に還元する作用がある事から、肥料が要らない。（ｄ）保水率に勝れている事から水やりが軽減できる。（ｅ）凝灰岩の特性作用から悪臭を短時間で消臭する。（ｆ）化学薬品や農薬を使わない事で衛生的で安全性が高い。（ｇ）凝灰岩は粒状で有るから、万一水が滴り落ちても汚泥とならず清潔である。
【図面の簡単な説明】
【図１】垂直壁面緑化パネルの斜視図である。
【図２】パネルにセットする資材の構造図である。
【図３】繊維製立体ネットである
【符号の説明】
▲１▼アルミ枠である。▲２▼金網である▲３▼生分解性ネット▲４▼粒状の凝灰岩（モルデナイトゼオライト凝灰岩）▲５▼繊維性立体ネット▲６▼生分解生綿板▲７▼プスチック平板▲８▼給水金具▲９▼排水金具
【図１】
2006204281.tif 000004
【図２】
2006204281.tif 000005
【図３】
2006204281.tif 000006
【手続補正書】
【提出日】平成17年5月16日(2005.5.16)
【手続補正１】
【補正対象書類名】特許請求の範囲
【補正対象項目名】全文
【補正方法】変更
【補正の内容】
【特許請求の範囲】
【請求項１】
繊維製立体ネット・保水用綿・凝灰岩粒を組合せバネル状にした食性マット
【請求項２】
請求項１に種子を発芽させ垂直にセットする緑化パネル
(57)【要約】【課題】  本発明は、中空状円筒本体の上端内壁にねじ山を螺刻し、そのねじ山に任意形状の施水容器やペットボトル等を螺着できて着脱自在となり、底に開けた孔から水を注水することで、点在する施水場所や施水に遠い所に有用で、また水量を定める施水に計量容器を螺着すれば必要量の施水が可能となり、施水容器を外せば種蒔や施肥にも利用できる土壌押入種蒔施肥施水具を得る。【解決手段】  中空状円筒本体の上端内壁にねじ山を螺刻し、下部を尖形にし周壁に所要数で任意となる孔を設け、上端のねじ山に任意形状の施水容器を螺着でき着脱自在となる手段を講ずる。【選択図】  図２
2006204268.tif 000002
【特許請求の範囲】
【請求項１】
中空状円筒本体の上端内壁にねじ山を螺刻し、下部を尖形にし周壁に所要数で任意となる孔を設け、上端のねじ山に任意形状の施水容器を螺着でき着脱自在となることを特徴とする土壌押入種蒔施肥施水具。
【請求項２】
前記中空状円筒本体の上端内壁のねじ山に、ペットボトルが螺着でき着脱自在となる請求項１記載の土壌押入種蒔施肥施水具。
【請求項３】
前記中空状円筒本体の上端内壁のねじ山に、水量目盛を設けた計量容器を螺着でき着脱自在となる請求項１記載の土壌押入種蒔施肥施水具。
【請求項４】
前記ペットボトルの底部に欠切注水孔を開けている請求項２記載の土壌押入種蒔施肥施水具。
【請求項５】
請求項４のペットボトルと一体化させたことを特徴とする土壌押入種蒔施肥施水具。
【発明の詳細な説明】
【技術分野】
【０００１】    本発明は、園芸に用いる土壌押入種蒔施肥施水具に関する。
【背景技術】
【０００２】
【特許文献１】    特願２０００−３３２０３６  特開２００２−１３０５５１
【特許文献２】    特願２００４−１１３６６８
【発明の開示】
【発明が解決しようとする課題】
【０００３】    従来の園芸施水具は、パイプ状の形状のもので土中に押入し種蒔や、施水に便利なものがあるが、施水には直接に水道ホースを接続しない問題があった。【０００４】    本発明は、中空状円筒本体の上端内壁にねじ山を螺刻し、そのねじ山に任意形状の施水容器やペットボトル等を螺着できて着脱自在となり、底に開けた孔から水を注水することで、点在する施水場所や施水に遠い所に有用で、また水量を定める施水に計量容器を螺着すれば必要量の施水が可能となり、施水容器を外せば種蒔や施肥にも利用できる土壌押入種蒔施肥施水具の提供を目的とするものである。
【課題を解決するための手段】
【０００５】    前記の課題を達成するため、中空状円筒本体の上端内壁にねじ山を螺刻し、下部を尖形にし周壁に所要数で任意となる孔を設け、上端のねじ山に任意形状の施水容器を螺着でき着脱自在となる手段を講ずる。【０００６】    また、中空状円筒本体の上端内壁のねじ山に、ペットボトルが螺着でき着脱自在となることが好ましい。【０００７】    さらに、中空状円筒本体の上端内壁のねじ山に、水量目盛を設けた計量容器を螺着でき着脱自在となることが好ましい。【０００８】    そして、ペットボトルの底部に欠切注水孔を開けていることが好ましい。【０００９】    また、請求項４のペットボトルと一体化させてもよい。
【発明の効果】
【００１０】    本発明の、土壌押入種蒔施肥施水具により、上端内壁にねじ山を螺刻し、そのねじ山に施水容器やペットボトル等を螺着できて着脱自在となるので、ペットボトルには底に孔を開け水を注水でき、直接に水道ホースを接続注水しなくて済み、点在する施水場所や施水に遠い所、また水量を定める施水に有用なものであるとともに、容器を外せば、種蒔や施肥にも利用できるものである。
【発明を実施するための最良の形態】
【００１１】    発明の実施するための最良の形態を実施例にもとづき図面を参照して説明する。図１〜図２で示す実施例では、中空状円筒本体１の上端内壁にねじ山２を螺刻し、下部を尖形３にし周壁４に所要数で任意となる孔５を設け、上端のねじ山２に任意形状の施水容器６を螺着でき着脱自在となるようにしている。【００１２】    また、図３で示す実施例では、中空状円筒本体１の上端内壁のねじ山２にペットボトル７が螺着でき着脱自在となり、【００１３】    また、図４で示す実施例では、中空状円筒本体１の上端内壁のねじ山２に計量容器８が螺着でき着脱自在になるようにし、計量容器８の上端部分９に欠切注水孔１０を設け、計量容器８の側壁に設けた水量目盛１１で必要水量を注水できるようにしている。【００１４】    そして、図５で示す実施例では、ペットボトル７の底部１２に開けた欠切注水孔１０から注水できるようにしている。【００１５】    さらに、図６で示す実施例では、底部１２に欠切注水孔１０を開けたペットボトル７と一体化にしている。
【図面の簡単な説明】
【００１６】
【図１】  本発明の土壌押入種蒔施肥施水具の実施例を示す斜視図である。
【図２】  本発明の土壌押入種蒔施肥施水具に施水容器の螺着を示す側面からの要部透視図である。
【図３】  本発明の土壌押入種蒔施肥施水具にペットボトルの螺着を示す側面からの要部透視図である。
【図４】  本発明の土壌押入種蒔施肥施水具に計量容器の螺着を示す側面からの要部透視図である。
【図５】  底部に欠切注水孔が開くペットボトルの実施例を示す要部斜視図である。
【図６】  本発明の土壌押入種蒔施肥施水具と底部に欠切注水孔を開けたペットボトルと一体化した実施例を示す要部斜視図である。
【符号の説明】
【００１７】  １  中空状円筒本体
２  ねじ山
３  尖形
４  周壁
５  孔
６  施水容器
７  ペットボトル
８  計量容器
９  上端部分
１０  欠切注水孔
１１  水量目盛
１２  底部
【図１】
2006204268.tif 000003
【図２】
2006204268.tif 000004
【図３】
2006204268.tif 000005
【図４】
2006204268.tif 000006
【図５】
2006204268.tif 000007
【図６】
2006204268.tif 000008
(57)【要約】【目的】  本発明は西瓜のトンネル栽培に関するもので、茅（４）を必要とせず、又、整枝や薬の散布の作業効率を高めることにある。【構成】  支持柱（９）をビニールトンネル（２）内に立て、紐（８）又は棒を支持柱（９）に引っかけて張り、固定する。  固定した紐（８）又は棒に、西瓜のつる（５）を絡ませて、西瓜のつる（５）の伸びる方向を導くとともに、西瓜のつる（５）を固定する。【選択図】  図２
2006204280.tif 000002
【特許請求の範囲】
【請求項１】
支持柱（９）をビニールトンネル（２）内に立て、紐（８）又は棒を、支持柱（９）に引っかけて張り、固定する。
固定した紐（８）又は棒に、西瓜のつる（５）を絡ませて、西瓜のつる（５）の伸びる方向を導くとともに、西瓜のつる（５）を固定する。
以上の方法によって、作った西瓜又はそれに類する物の栽培方法。
【発明の詳細な説明】
【発明の詳細な説明】
【産業上の利用分野】
【０００１】  本発明は、西瓜のトンネル栽培に関するもので、栽培に必要な茅（４）を省き、整枝、薬の散布の作業性を高め、病気にかかりにくくしたものである。又、トンネル栽培だけでなくハウス栽培にも利用できる。
【背景技術】
【０００２】  一般的な西瓜のトンネル栽培は、図１に示すように、
西瓜のつる（５）を横に這わすため、畝幅２ｍ以上必要である。
西瓜のつる（５）を固定させ、土かぶり防止のため、茅（４）を必要とする。
整枝する時、西瓜のつる（５）を横に這わしているため畝幅が広く、西瓜のつる（５）に足を踏み込んで整枝しなければならない。この時、葉を傷め病気に成りやすい。
前記の理由により、薬の散布もしにくい。
【発明が解決しようとする課題】
【０００３】  よって、この欠点を補うため、茅（４）を必要とせず、整枝や薬の散布の作業効率を高めることにある。
【課題を解決するための手段】
【０００４】  本発明は上記の課題を考慮したものである。
構造を図面によって説明する。
図１は、一般的な西瓜のトンネル栽培方法である。
西瓜の株（６）から、三本のつる（５）を取り出し三本仕立てとする。
トンネル内はマルチ（７）が敷かれている。
図に示す様に整枝しながら、トンネル内に着果するように、つる（５）を茅（４）に西瓜のまきひげで固定させ調整してゆく。
図２は本発明を説明したものである。
図１とは対照的に西瓜のつる（５）を、トンネル内の紐（８）に西瓜のまきひげで固定させ、縦に整枝をしながら沿わせる。ここで、図１では畝幅Ａであるが、図２ではＢである。これを補うため、株間をＡとする。これにより、根をはる面積を確保することができる。理論的には面積あたりの収穫量は等しくなる。
【作用】
【０００５】  以上の構造であるから、つる（５）を任意の方向に導きやすく、風通しもよく病気にもなりにくい。又、畝幅を狭くしたいるので、畝に踏み込まなくてもよく西瓜の葉を傷めないで整枝ができ作業効率が上がる。薬の散布についても同じことがいえる。
【実施例】
【０００６】  紐（８）の代わりの棒を使えば、つる（５）を若干浮かすことが出来、風通しをよくすることが出来る。
以上はトンネル栽培についてのべたが、ハウス栽培においても、応用がきく。
メロン、地這いきゅうりなどの、つる系に応用が効く。
【発明の効果】
【０００７】  従来より畝幅が狭いので、整枝、薬の散布などの西瓜の苗の世話がしやすい。
つる（５）の伸びる方向を制御しやすいので、整然とした形にできる。
つる（５）が若干浮きぎみになるので、風通しがよく病気になりにくい。
茅（４）を必要としない。
原則的には、トンネル内で育てるので、着果位置を気にしなくてもよい。
畝幅の狭いかわりに株間を広くしているので、根の張る面積は確保できる。つまり、面積あたりの収穫量は理論的には変わらない。
【図面の簡単な説明】
【図１】      従来の一般的な西瓜のトンネル栽培を説明するための斜視図。
【図２】      本発明の構成を説明するための斜視図。
【符号の説明】
１  割竹      ２  ビニールトンネル      ３  西瓜      ４  茅      ５  西瓜のつる      ６  西瓜の株      ７  マルチ      ８  紐      ９  支持柱
【図１】
2006204280.tif 000003
【図２】
2006204280.tif 000004
(57)【要約】【課題】  従来のルアーでは、ルアーに食いついた魚の歯形は判別しにくく、水中にあるルアーにおいては障害物に接触したのか、魚が食いついたのか判別しにくい。そのため、実際に魚が食いついてそれが外れたとしても、障害物だったのか魚だったのか分からない事がしばしばある。また大物の魚を釣り上げた際も、その大物の魚の歯形が残りにくい。そのため、釣り人にとって記録や記念になりにくくなってしまう。そこで本発明は、ルアーに魚が食いついた際、ルアーに食いついた魚の歯形が分かりやすく残るルアーを作る事を課題とする。【解決手段】  上記課題を解決するために、請求項１記載のルアー表面の塗装の下に違う色の本体を使用、または本体に違う色の塗装を施す事により、傷ついた際、その部分の塗装が剥げ、中から違う色が出てくるルアーは、ルアー表面の塗装の下に違う色の本体を使用、または本体に違う色を塗装し、ルアー表面の塗装自体はある程度の塗装強度を保ちながら比較的剥がれやすくなるように塗装する。【選択図】      図１
2006204274.tif 000002
【特許請求の範囲】
【請求項１】
ルアー表面の塗装の下に違う色の本体を使用、または本体に違う色の塗装を施す事により、傷ついた際、ルアー表面の塗装が剥げ、中から違う色が出てくるルアー
【発明の詳細な説明】
【技術分野】
【０００１】  本発明は、ルアーに食いついた魚の歯形が明確に残り、歯形が残る事により釣り人が魚の居場所を判別でき、大物の魚を釣り上げた際は、記録や記念に残す事が出来る技術に関する。
【背景技術】
【０００２】  従来のルアーでは、ルアーに食いついた魚の歯形は、表面に薄く傷が入る程度で、光に当ててよく見ないと判別できない場合、または全く判別する事ができない場合が大半を占めている。
【発明の開示】
【発明が解決しようとする課題】
【０００３】  上記のように、従来のルアーでは、ルアーに食いついた魚の歯形は判別しにくく、水中にあるルアーにおいては障害物に接触したのか、魚が食いついたのか判別しにくい。そのため、実際に魚が食いついてそれが外れたとしても、障害物だったのか魚だったのか分からない事がしばしばある。また大物の魚を釣り上げた際も、その大物の魚の歯形が残りにくい。そのため、釣り人にとって記録や記念になりにくくなってしまう。そこで本発明は、ルアーに魚が食いついた際、ルアーに食いついた魚の歯形が分かりやすく残るルアーを作る事を課題とする。
【課題を解決するための手段】
【０００４】  上記課題を解決するために、請求項１記載のルアー表面の塗装の下に違う色の本体を使用、または本体に違う色の塗装を施す事により、傷ついた際、その部分の塗装が剥げ、中から違う色が出てくるルアーは、ルアー表面の塗装の下に違う色の本体を使用、または本体に違う色を塗装し、ルアー表面の塗装自体はある程度の塗装強度を保ちながら比較的剥がれやすくなるように塗装する。
【発明の効果】
【０００５】発明は以上に説明したような構成により次のような効果を奏する。
ルアー表面の塗装の下に違う色の本体を使用するか、違う色の塗装を施す事により、ルアーに魚が食いついた際、ルアーに魚が食いついた部分の塗装が剥げ、中から違う色が出てくるルアーにより、水中にあるルアーにおいては障害物に接触したのか、魚が食いついたのか判別しやすく、大物の魚を釣り上げた際には記録や記念にすることが出来る。
【発明を実施するための最良な形態】
【０００６】  本発明を実施するためには、最終塗装の色がある程度の塗装強度を持ちながら適度に剥がれるようにしなければならない。その為には通常行うクリアトップコーティング塗装の上にさらに剥がれる層の塗装を行う事が最良と考えられる。基本的にクリアトップコーティング塗装というのは、一度完全硬化するとその上に塗装を行っても、一体化することがない。その性質を使い、クリアトップコーティング塗装が完全硬化する手前、半硬化状態で最終塗装を行う。こうすることで、ある程度の強度を保ちながら、ルアーに魚が食いついた際の魚の歯が接触し、こすれた部分の最終塗装が剥がれる事になる。
【実施例】
【０００７】  本発明を実際に実施した例を述べる。ルアー本体を赤色の物を使用、または赤色で塗装を行う。その上にクリアトップコーティング塗装を行う。クリアトップコーティング塗装が半硬化状態で、その上に緑色を塗装する。こうする事によってある程度の塗装強度を保ちながら、ルアーに魚が食いついた際、表面の緑色の塗装が剥がれ、下の赤色が歯形状に現れてくるルアーが完成する。
【産業上の利用可能性】
【０００８】  上記のようにルアーに魚が食いついた時に出来る歯形が明確に残る事になる。これにより釣り人は喜びを感じ、またそのルアーを記録や記念として残す事が出来る。
【図面の簡単な説明】
【０００９】
【図１】  本発明によるルアーに魚が食いついた際に、ルアーにその魚の歯形が明確に傷となって残るルアーの実際に魚の歯形の付いたルアーの写真である。
【符号の説明】
【００１０】１  ルアー本体
２  ルアーに魚が食いついた際に出来た歯形
【図１】
2006204274.tif 000003
(57)【要約】      （修正有）【課題】接面が少ない円柱、多角柱に掛けても横ズレがおきず安定して掛けられる壁掛け植物栽培プランター、及び壁掛けプランターを背中合わせに何段も鉛直上方に掛けることができるプランタースタンドを提供する。【解決手段】壁掛け植物プランターの壁側面に、円柱又は多角柱形状の溝を設けることにより、接面摩擦を増すとともに横方向への引掛りとすることで、横ズレを防止し、安定を保つようにした。更に、円柱又は多角柱に、対面同士にフック若しくは引っ掛け溝を上下方向に何段にも設けることにより、鉛直方向の複数段に背中合わせで壁掛けプランターを掛けられるようにした。限られた狭いスペースで従来より多くの多種多様の植物の栽培、観賞が可能となる。【選択図】図２
2006204275.tif 000002
【特許請求の範囲】
【請求項１】
壁側面に半円柱状、半多角柱状溝を設け接面の少ない円柱、多角中に掛けても横ズレが少ない壁掛けプランター
【請求項２】
円柱、多角柱に対面同士フック若しくは溝を何段も有するプランター掛けポール状スタンド
【発明の詳細な説明】
【技術分野】
【０００１】本発明は、接面の少ない円柱多角柱に掛けても安定する壁掛けプランターに関する。
【背景技術】
【０００２】従来の壁掛けプランターは壁側面全体が平面になっていて接面の少ない円柱、多角柱に掛けると接面摩擦がなく不安定であり容易に横ズレが起きる。【０００３】従来のプランタースタンドは壁掛けプランターを背中合わせに何段も掛けることを想定されてない
【発明が解決しようとする課題】
【０００４】接面が少ない円柱、多角柱に掛けても壁掛けプランター下部が横ズレを起こしにくくし意匠をよくする。
【０００５】同一スペースで多種、多様の植物栽培を可能にする。
【課題を解決するための手段】
【０００６】壁掛けプランター壁側面に壁となる円柱若しくは他角柱と同型の溝を設けることで接面が増すと同時に横方向への引掛りになるので横ズレが起きにくくなる。
【０００７】円柱若しくは多角柱に対面同士にフック、若しくは引掛り溝を何段にも設けることでプランターを背中合わせに何段も掛けることが可能になる。
【発明の効果】
【０００８】  [０００６]と  [０００７]を組合すことにより限られたスペース狭いスペースで従来よりより多くの多種多様の植物が栽培観賞できる。
【発明を実施するための最良の形態】
【０００９】図１により従来の壁掛けプランターの壁面が平面であるため接面の少ない円柱、多角柱に掛けた場合安定しないのがわかる。図２により壁側面に円柱状、多角形状溝を設けることで接面が増え接面摩擦が増すとともに横方向への引掛りとなるのでプランターが安定度をます。【００１０】図３により図２プランターを掛ける目的で円柱若しくは多角柱の対面同士にフック若しくは溝を何段も設けることでプランター同士背中合わせで何段も安定した状態で掛けることが可能になる。
【実施例】
【００１１】
【産業上の利用可能性】
【００１２】
【図面の簡単な説明】
【００１３】
【図１】従来の壁掛け植物栽培プランター
【図２】発明が解決しようとする壁掛け植物栽培プランター
【図３】発明が解決しょうとするプランター掛け
【図４】発明が解決した図２、図３の組み合わせ利用例
【図１】
2006204275.tif 000003
【図２】
2006204275.tif 000004
【図３】
2006204275.tif 000005
【図４】
2006204275.tif 000006
(57)【要約】【課題】  地面に落ちたペットの糞をすくい入れ、持ち運び、手を汚さず簡単に処理することの出来る、ペットの排便処理器具を提供する。【解決手段】  シャベル状の上下２枚の板を、蝶番で開閉できるようにする。両板とも真中に広い穴を設け、上板には蓋を、下板には柄をつけて持ち運び出来るようにする。穴に通したビニール袋の縁を上下の板で挟み込み、糞を入れても落ちないようにする。  袋の脱着を簡単にし、板の先端をシャベル状にしたことを特徴とする。【選択図】  図１
2006204271.tif 000002
【特許請求の範囲】
【請求項１】
（イ）先端をシャベルの形状にした２枚の板を蝶番で開閉出来るようにし、下側の板に柄をつける。また、上側には蓋を設ける。板の合わさる部分にはすべり止めを取り付ける。
（ロ）その２枚の板に、同じ形状の大きな穴を開け、そこにビニール袋などを通し、袋の縁を上下の板で挟み込む。
以上の如く構成されたペットの排便処理器具
【発明の詳細な説明】
【技術分野】
【０００１】この発明は、器具に挟み込んだビニールなどの袋で、散歩中に排便されるペットの糞を受ける、あるいは先端のシャベルで、落ちた糞をすくい入れて持ち運べるようにしたペットの排便処理器具である。
【背景技術】
【０００２】従来、円筒形の輪に柄をつけ、それにビニール袋を被せて輪ゴムで留めて、排泄物を受ける道具があった。しかし、その方式だと地面に落ちた糞の処理が出来ない。しかも、ビニール袋を外すときに、脱着しにくく、輪の縁やゴムに付着した糞で、手を汚すことが多々あった。さらに、蓋がないため臭いがした。
また、ビニール袋を留める部分がゴムであるため、数ヶ月もするとそれが劣化し、使用できなくなった。
【発明の開示】
【発明が解決しようとする課題】
【０００３】（イ）この発明は、犬などペットの糞処理の際、排便された糞をうまく受け止めることが出来ずに、地面に落ちたとしても、すくい取ることが出来るように考案された物である。
（ハ）また、手を汚さず簡単な操作で袋の脱着を可能にし、その袋を固定する部分に耐久性を持たせるのを目的とした。
（ニ）持ち運びの際、臭いがしないように工夫することも課題とした。
【課題を解決するための手段】
【０００４】（イ）広い穴を開けたシャベル状の上板▲１▼と、同様の形状に柄をつけた下板▲２▼を蝶番▲３▼で開閉が出来るようにする。さらに上板には開閉式の蓋▲９▼を設ける。
（ロ）上板は、柄に付けたスライドする中空円筒▲４▼とコイルバネ▲５▼でロック出来るようにする。
（ハ）上板▲１▼には小穴▲７▼を開け、下板▲２▼には円筒突起▲６▼を設けて、挟んだ袋の縁が噛み合せですべり落ちないような構造にする。
本発明は、以上のような構成からなるペットの排便処理器具である。
【発明の効果】
【０００５】（イ）シャベルと袋が一体になっているので、地面に落ちた糞を手を汚すことなく、袋にすくい入れることが出来る。また、そのまま持ち運びが可能。
（ロ）ロック一つで開閉でき、そのまま袋を汚物入れに落下させて、糞を処理することができるので簡単、かつ清潔である。
（ハ）持ち運びの際、蓋があるので臭いを閉じ込めることが出来る。
（ニ）ゴムなど、劣化の早い材質を使用する部品が不要で、長期間に渡って使うことが出来る。
【発明を実施するための最良の形態】
【０００６】以下、本案の実施の形態について説明する。
シャベルの形状にし、真中に広い穴を開けた上板▲１▼と同様の形状にして柄をつけた下板▲２▼を蝶番▲３▼で組み合わせる。さらに上板には蓋▲９▼を設ける。
（ロ）柄にスライドする中空円筒▲４▼を取り付け、それをコイルバネ▲５▼で下板▲２▼と組み合わせる。上板▲１▼には前部のストッパーとなる突起▲８▼を設ける。さらに柄の握り部分を中空円筒の内径より大きくすることで、後部のストッパーとする。中空円筒表面には波型などのすべり止めを施す。
（ハ）上板▲１▼には、小さい穴▲７▼を設ける。同様に下板▲２▼には円筒形の突起▲６▼を設ける。これにより袋の縁を２枚の板で挟んだとき、排便中の糞がその中に落下しても、噛み合せと摩擦で袋が外れないようにする。
あるいは、二つの板が合わさる部分に、摩擦抵抗を大きくするため、表面がザラザラするような加工を施してもよい。
本発明は以上のような構造である。これを使用する場合は、上板▲１▼を開け、ビニール袋の口を上にして穴に入れ、その縁を広げて上下２枚の板で挟み込む。さらに中空円筒▲４▼でロックする。
犬などのペットが排泄しようとした時、本器具を下に据えて排泄物をキャッチする。また、地面に落ちた糞は、シャベルのようにすくい上げ袋に入れて持ち返る。持ち返った糞は、ロックをはずしてそのまま汚物入れに捨てることができる。
【図面の簡単な説明】
【０００７】
【図１】      本発明の斜視図である。
【図２】      本発明の平面である。
【図３】      本発明の正面図である。
【符号の説明】
【０００８】１  上板    ２  下板    ３  蝶番    ４  中空円筒    ５  コイルバネ    ６  円筒突起    ７  小穴    ８  前部ストッパー    ９  蓋    ▲１０▼  袋
【図１】
2006204271.tif 000003
【図２】
2006204271.tif 000004
【図３】
2006204271.tif 000005
(57)【要約】【課題】黒豆の成分は熱に弱く、１００度長時間煮沸では特にアントシアニンは破壊分解されやすいと言われております。従来の乾燥処理においては本来の主栄養成分が維持する事が難しく、破壊され、本目的である健康食品原料使用としては効果が薄く、賞味期間が短い原因でもあった。又、特にダイエット成分であるペプチド、プロティンも熱処理には大きく成分低下し健康食品原料としては充分な採取製法ではなかった。【解決手段】黒豆を低温煮沸により栄養主成分を破壊せず、煮豆工程から生まれた黒豆煮汁、ペーストを真空冷凍乾燥処理を行い、粉末、顆粒状に仕上げ、健康補助食品、並びに健康食品添加物に転用し、主成分を破壊せず、煮豆加工の段階から豆本体、煮汁と全処理残粕を使用加工することで丸ごと本来の栄養素の高い成分が採取可能となる。【特許請求の範囲】
【請求項１】
この製法については、京都地区の丹波黒豆、又、黒豆類種の煮豆加工時の残留煮汁を真空冷凍乾燥処理し、粉末、顆粒加工に仕上げた製法を目的とする。
【請求項２】
黒豆の煮豆を磨り潰し、煮汁と一緒にペースト状に加工し真空冷凍乾燥処理し粉末状、顆粒状に加工した健康食品添加物として使用する目的とする。
【請求項３】
又、(請求項１)(請求項２)に元ずき黒大豆ペーストと煮汁、黒大豆ぺートと黒糖を配合し、健康補助食品、ダイエット補助食品として仕上げた製法を目的とする。
【請求項４】
黒豆、黒豆類種等の真空冷凍乾燥処理した粉末、顆粒加工等において他の食品添加物使用に関わる一切の製法である。
【発明の詳細な説明】
【技術分野】
【０００１】  黒豆の煮豆汁と黒豆ペーストの真空冷凍乾燥加工による粉末、顆粒化にした健康食品原料製造とダイエット補助食品製造方法に関して
【背景技術】
【０００２】  従来の黒豆の粉末化としては熱乾燥、ドライ乾燥が主流で黒豆成分であるアントシアニン、シアニジン、サポニン、ペプチド、イソフラボンが熱によっては破壊され、本来の栄養主成分が製造加工上で採取できない製法であった。【０００３】  又、黒豆のペースト、及び煮汁の健康ダイエット食品原料としては、丸ごと真空冷凍乾燥処理された原料としては存在していなかった。
【発明の開示】
【発明が解決しようとする課題】
【０００４】  黒豆の成分は熱に弱く、１００度長時間煮沸では特にアントシアニンは破壊分解されやすいと言われております。今回の煮汁を真空冷凍乾燥処理する事から極力、熱を加えず、主成分を採取できる事を目的とする。【０００５】  又、黒豆に含まれるペプチド、プロティンは脂肪燃焼、脂肪がリンパを通し分泌作用効果があり、ダイエット成分を効果的に採取する方法である。
【課題を解決するための手段】
【０００６】  黒豆を低温煮沸により栄養主成分を破壊せず、煮豆工程から生まれた煮汁を真空冷凍乾燥処理を行い、粉末、顆粒状に仕上げ、健康補助食品に転用する。【０００７】  又、黒豆のペーストは煮豆を磨り潰し真空冷凍乾燥処理を行い、粉末、顆粒にして健康補助食品に加工する。その他に黒豆ペースト、黒糖を一緒に真空冷凍乾燥処理する事でさらに栄養素の高い成分が採取可能になる。
【発明の効果】
【０００８】  黒豆に含まれた【０００２】に列記された成分は真空冷凍乾燥加工によって本来の主成分は殆ど破壊されず栄養素の高い食品添加物として採取でき健康面での補助的な食品として体内に吸収されます。【０００９】  又、真空冷凍乾燥処理は濃縮状態に加工され、カプセル、錠剤等の２次加工上は加工スペース、処理加工が容易である利点がある。
【発明の実施するための最良の形態】
【００１０】  黒豆を水に一晩浸し、黒豆２０Ｋｇを弱火で圧力釜１時間位煮ます。その後、１時間蒸らし、黒煮豆と煮汁で５０Ｋｇになり、ミキサーで粉砕、裏ごし後に黒豆ペースト５０％、煮汁５０％に分れ、さらに黒豆ペーストに黒糖を混ぜ１時間炊きます、出来上がったペーストは所定のトレーで−２０度程で補助冷凍し、−５０度で真空冷凍乾燥に移ります、８時間程で結晶採取、取り出し微粉末製粉工程に入り粉末にします。粉末化された添加物はカプセル、包材に充填され健康補助食品として商品化されます。真空冷凍乾燥処理されている為、賞味期間が長く変質等の心配もありません。又、煮汁粉末は前記の工程で煮豆と煮汁に分かれる煮汁だけを−２０度程で補助冷凍し、−５０度で真空冷凍乾燥に移ります、８時間程でペースト結晶採取、取り出し、微粉末製粉工程に入り粉末にします。
【００１１】  又、黒豆のペースト、煮汁の真空冷凍乾燥粉末加工原料はココア、コーヒー、お茶、ヨーグルト、ジャム等の食品添加物として本来の栄養主成分を保持しながら使用が出来、従来の加熱粉末と違い栄養成分の摂取から見ると健康的な要素が大きく影響されます。
(57)【要約】      （修正有）【課題】脚部を地中に固定しなくても一人で簡単に組み立てができて、完成させてからも必要に応じ施設の高さを上げ下げできるようにした簡易植物栽培ハウス棚を提供する。【解決手段】３方向直角確保ソケット１にパイプを差し込んでいくと共に、脚部材を任意に切断分割しストレートソケット３をはめて横ズレしないように組むことで施設を完成させる。【選択図】図２
2006204276.tif 000002
【特許請求の範囲】
【請求項１】
小規模ビニール若しくはネットハウス、蔓状植物栽培棚設置において組み立て分解を手軽にし、資材を節約し縦材、横材、脚材を交差させることをなくし全面を平面にする目的で３方向直角確保ソケットで組み立てられた施設。
【請求項２】
台風接近、襲来の虞がある場合栽培植物、小規模ビニール若しくはネットハウス、蔓状植物栽培棚を保護する目的で蔓植物の張りビニール、ネット等の張りに影響されず高さを下げることが出来また上げることが出来る請求項１記載の施設。
【発明の詳細な説明】
【技術分野】
【０００１】  本発明は、組み立て、分解が簡単で資材が節約でき、資材が交差することなく全面が平面に組みあがり台風接近襲来の虞がある場合は栽培植物、施設保護の目的で高さを下げることが出来台風が去った後もとの高さに戻せるビニール若しくはネットハウス、蔓状栽培棚に関する。
【背景技術】
【０００２】  従来の植物栽培ハウス、棚等の接続方法は図１−２のように雌雄のソケットを差し込む２方向接続であるため３方向側Ｘは異種接合が必要である。図１−１，図１−２【０００３】  大き目に規格された雌雄２方向接続部材なので施設規模を小さくするために材料を切断２分すると片方は同用途を失い利用しにくい・小規模施設に使用すると無駄がでる  図１−２【０００４】  図１−３のように縦横脚材を同一材にし従来の接合具で固定するとハリガネ材の場合はハネアゲて差し込む、クランプの場合はボルト締め等のかなりの作業がある上、材厚か材厚以上の段差が出るためビニール、ネット張りに支障がある。図１−３【０００５】  脚部が地中差込み固定になっているので差込固定が出来ない場合Ｘ方向への固定が容易でない。人手を必要とする。図１−１、図１−３【０００６】  施設を完成させてから台風対策のために高さを下げたり台風が去ってからもとの高さに戻すことを想定してない。【０００７】  骨組みを完成させ施設高さが決まった状態でビニール、ネット等を張るので高さが高い施設の上部の作業が容易でない。
【発明が解決しようとする課題】
【０００８】  小規模施設を組み立てる際材料の無駄を抑え、脚部を地中差込固定しなくても組み立て分解を簡単にするとともに全面を平面にすることでビニール、ネット張り作業への支障をなくす。
【０００９】  高さを上げ下げ出来ることにより脚立、台などに上らず上面のビニール、ネット張り作業が出来台風接近、襲来の虞がある場合施設の高さを下げることにより栽培作物、施設への被害緩和に備える。
【課題を解決するための手段】
【００１０】  ３方向直角確保ソケットを使用することにより縦材、横材、脚材とも同一の通常パイプであればよいため切断２分しても同用途に使用できるため小規模施設製作に適し無駄が出にくい。図３−１  図３−Ｂ
【００１１】  ３方向直角確保ソケットを使用することにより差し込むだけで簡単に人手を必要とすることなく施設骨組みができる。図３  手順図１〜２
【００１２】  ３方向直角確保ソケット全面が平面になるのでビニール、ネット張りに支障がない。図２  手順３  図３  図３−１
【００１３】  ３方向直角確保ソケットが差し込むだけの接合で剛接合になってない特徴を利用するとともに図３  図３−２  図３−３のように脚部を任意に２分しストレートソケットを差し込んでおくと張りつめたネット巻きついた蔓状植物に影響されず上げ下げの機能を有する施設となる。高さを下げた状態で上面のビニール、ネット張りができ脚立、台が必要ない。台風接近襲来の際事前に施設の高さを下げておくことにより栽培植物、施設への被害が緩和できる。
【発明の効果】
【００１４】上述したように接続部に３方向直角確保ソケットを使用することによりを小規模施設を設置しても資材に無駄が出来にくく柔軟に対応でき、脚部を事前に固定する必要がなく工具を用いることなく人手を必要とすることなく差し込む作業のみで全面が平面構成の施設骨組みが簡単に出来上がる。
【００１５】
【００１３】で記したように任意に上げ下げ出きることで施設上面の張物作業が低い位置で安全に手軽にできる。台風接近襲来の虞がある場合事前に栽培植物、施設保護対策ができる。
【発明を実施するための最良の形態】
【００１６】縦横脚材の接続は３方向直角確保ソケットとする。図３−１  図３−Ａ【００１７】縦横脚材は３方向直角確保ソケットに入るか３方向直角確保ソケットが入る径、形状にする。図３−Ｂ【００１８】脚材の横ズレ防止のためのストレートソケットは脚材が入る径、形状とする。図３−３【００１９】敷地、場所により施設規模を決め【００１７】材を準備しソケットに差し込むまたはソケットを差し込むだけの簡単な作業で施設が完成するようにする。図２  手順図１〜５
【実施例】
【００２０】
【産業上の利用可能性】
【００２１】
【図面の簡単な説明】
【００２２】  図１  従来施設
図２  発明が解決しようとする施設
図３  発明が解決しょうとする施設部材図
【図１】
2006204276.tif 000003
【図２】
2006204276.tif 000004
【図３】
2006204276.tif 000005